(57)【特許請求の範囲】
【請求項１】
移動体端末に組み込まれて使用される録画再生装置であって、
所定の放送チャネルを受信する受信手段と、
該受信手段により受信された放送チャネルの番組を再生する第１再生手段と、
前記受信手段により受信された放送チャネルの番組を録画する録画手段と、
該録画手段により録画された番組を再生する第２再生手段と、
移動体端末の動作状態を検出する検出手段と、
前記第１再生手段による番組の再生、前記録画手段による番組の録画、および、前記第２再生手段による番組の再生を制御する制御手段とを備えており、
前記検出手段は、当該移動体端末が有するアプリケーションソフトが起動され、当該アプリケーションソフトの機能により前記第１再生手段により再生されている番組の視聴が妨げられた動作状態であるか否かを検出可能に構成されており、
前記制御手段は、前記第１再生手段により再生させている番組を前記録画手段により録画させておき、前記第１再生手段により番組を再生させている状態で、前記第１再生手段により再生されている番組の視聴が妨げられた状態になった後、前記第１再生手段により再生されている番組の視聴が妨げられた状態でなくなったことを、前記検出手段により検出された動作状態によって判断すると、前記録画手段が録画した番組のうち、前記第１再生手段により再生されている番組の視聴が妨げられた状態になったことを判断した以後に前記録画手段によって録画された番組の再生を前記第２再生手段によって開始させるよう制御する
ことを特徴とする録画再生装置。
【請求項２】
移動体端末に組み込まれて使用される録画再生装置であって、
所定の放送チャネルを受信する受信手段と、
該受信手段により受信された放送チャネルの番組を再生する第１再生手段と、
前記受信手段により受信された放送チャネルの番組を録画する録画手段と、
該録画手段により録画された番組を再生する第２再生手段と、
移動体端末の動作状態を検出する検出手段と、
前記第１再生手段による番組の再生、前記録画手段による番組の録画、および、前記第２再生手段による番組の再生を制御する制御手段とを備えており、
前記検出手段は、前記第１再生手段を構成する番組表示部が当該番組表示部を覆い隠す部位によって覆い隠されることにより、前記第１再生手段により再生されている番組の視聴が妨げられた動作状態であるか否かを検出可能に構成されており、
前記制御手段は、前記第１再生手段により再生させている番組を前記録画手段により録画させておき、前記第１再生手段により番組を再生させている状態で、前記第１再生手段により再生されている番組の視聴が妨げられた状態になった後、前記第１再生手段により再生されている番組の視聴が妨げられた状態でなくなったことを、前記検出手段により検出された動作状態によって判断すると、前記録画手段が録画した番組のうち、前記第１再生手段により再生されている番組の視聴が妨げられた状態になったことを判断した以後に前記録画手段によって録画された番組の再生を前記第２再生手段によって開始させるよう制御する
ことを特徴とする録画再生装置。
【発明の詳細な説明】
【０００１】
【発明の属する技術分野】
本発明は、移動体端末に組み込まれた状態で、所定の放送チャネルの番組を録画・再生する録画再生装置に関する。
【０００２】
【従来の技術】
現在、カーナビゲーションシステム（以降、単にカーナビとする）や携帯情報端末などの移動体端末の中には、テレビチューナを備え、所定の放送チャネルの番組を視聴できるように構成されたものがある。このような移動体端末によれば、放送チャネルを受信可能な場所であれば、どのような場所であっても番組を視聴することができた。
【０００３】
【発明が解決しようとする課題】
しかし、上述の移動体端末により番組を視聴する場合、移動体端末の動作状況によっては番組の視聴を妨げられる場合があり、視聴を妨げられている間に受信された放送チャネルの番組を視聴することができなくなるという問題があった。
【０００４】
例えば、カーナビは、番組を再生している状態からカーナビの搭載された車両が走行を開始した場合に、番組の再生を中断するように構成されたものが多い。このようなカーナビにおいては、車両の走行中に受信された放送チャネルの番組を視聴することができなくなってしまう。また、番組を再生している状態から車両が走行を開始した場合に番組の再生を中断しないように構成されたカーナビにおいても、運転者は車両の運転に集中しなければならないため、車両の走行中に受信されている放送チャネルの番組を視聴することができなくなってしまう。
【０００５】
また、携帯情報端末の中には、携帯情報端末を電話機として機能させるための通話機能を有しているものもあるが、このような携帯情報端末においては、番組を再生している最中に着信があった場合、通話中に受信された放送チャネルの番組を視聴することができなくなってしまう。
【０００６】
このようなことから、視聴が妨げられていた間に受信された放送チャネルの番組を、視聴が妨げられなくなった後に視聴することのできる技術が要望されていた。
本発明は、上記問題を解決するためになされたものであり、視聴が妨げられていた間に受信された放送チャネルの番組を、視聴が妨げられなくなった後に視聴することができる録画再生装置を提供することを目的とする。
【０００７】
【課題を解決するための手段および発明の効果】
【０００９】
請求項１に記載の録画再生装置は、
移動体端末に組み込まれて使用される録画再生装置であって、
所定の放送チャネルを受信する受信手段と、
該受信手段により受信された放送チャネルの番組を再生する第１再生手段と、
前記受信手段により受信された放送チャネルの番組を録画する録画手段と、
該録画手段により録画された番組を再生する第２再生手段と、
移動体端末の動作状態を検出する検出手段と、
前記第１再生手段による番組の再生、前記録画手段による番組の録画、および、前記第２再生手段による番組の再生を制御する制御手段とを備えており、
前記検出手段は、当該携帯情報端末が有するアプリケーションソフトが起動され、当該アプリケーションソフトの機能により前記第１再生手段により再生されている番組の視聴が妨げられた動作状態であるか否かを検出可能に構成されており、
前記制御手段は、前記第１再生手段により再生させている番組を前記録画手段により録画させており、前記第１再生手段により番組を再生させている状態で、前記第１再生手段により再生されている番組の視聴が妨げられた状態になった後、前記第１再生手段により再生されている番組の視聴が妨げられた状態でなくなったことを、前記検出手段により検出された動作状態によって判断すると、前記録画手段が録画した番組のうち、前記第１再生手段により再生されている番組の視聴が妨げられた状態になったことを判断した以後に前記録画手段によって録画された番組の再生を前記第２再生手段によって開始させるよう制御する。
【００１０】
このように構成された録画再生装置によれば、番組の視聴を妨げる動作状態から番組の視聴を妨げることのない動作状態に戻った際に、第２再生手段によって、番組の視聴を妨げる動作状態となった以後に録画された番組の再生が開始される。そのため、視聴を妨げる動作状態となっていた間に受信手段により受信された放送チャネルの番組を、視聴を妨げる動作状態となっていた期間だけ遅らせた状態で視聴することができる。
【００１１】
また、請求項２に記載の録画再生装置は、
移動体端末に組み込まれて使用される録画再生装置であって、
所定の放送チャネルを受信する受信手段と、
該受信手段により受信された放送チャネルの番組を再生する第１再生手段と、
前記受信手段により受信された放送チャネルの番組を録画する録画手段と、
該録画手段により録画された番組を再生する第２再生手段と、
移動体端末の動作状態を検出する検出手段と、
前記第１再生手段による番組の再生、前記録画手段による番組の録画、および、前記第２再生手段による番組の再生を制御する制御手段とを備えており、
前記検出手段は、前記第１再生手段を構成する番組表示部が当該番組表示部を覆い隠す部位によって覆い隠されることにより、前記第１再生手段により再生されている番組の視聴が妨げられた動作状態であるか否かを検出可能に構成されており、
前記制御手段は、前記第１再生手段により再生させている番組を前記録画手段により録画させており、前記第１再生手段により番組を再生させている状態で、前記第１再生手段により再生されている番組の視聴が妨げられた状態になった後、前記第１再生手段により再生されている番組の視聴が妨げられた状態でなくなったことを、前記検出手段により検出された動作状態によって判断すると、前記録画手段が録画した番組のうち、前記第１再生手段により再生されている番組の視聴が妨げられた状態になったことを判断した以後に前記録画手段によって録画された番組の再生を前記第２再生手段によって開始させるよう制御する。
【００１２】
このように構成された録画再生装置によれば、番組の視聴を妨げる動作状態から番組の視聴を妨げることのない動作状態に戻った際に、第２再生手段によって、番組の視聴を妨げる動作状態となった以後に録画された番組の再生が開始される。そのため、視聴を妨げる動作状態となっていた間に受信手段により受信された放送チャネルの番組を、視聴を妨げる動作状態となっていた期間だけ遅らせた状態で視聴することができる。
【００２１】
【発明の実施の形態】
次に本発明の実施の形態について例を挙げて説明する。
［第１実施形態］
まず、本発明の構成がカーナビゲーションシステム（以降、カーナビとする）に組み込まれた場合の実施形態を説明する。
【００２２】
カーナビ１は、図１に示すように、カーナビ１が搭載された車両の位置を検出する位置検出センサ群１０、記憶媒体（例えば、CD-ROM、メモリーカード、ハードディスクなど）を介して地図データを入力する地図データ入力装置２０、各種情報を表示する表示装置２２、テレビチューナ２４、操作パネル２６、スピーカ２８、制御装置３０などにより構成されている。
【００２３】
位置検出センサ群１０は、車両を構成する各車軸の回転状態に基づいて車両の走行速度を検出する速度センサ１１、GPS（Global Positioning System）衛星から送信された信号を受信するGPS受信機１２、車両に加わる回転運動の大きさを検出するジャイロスコープ１３、車両の前後方向の加速度などから走行した距離を検出する距離センサ１４、地磁気から車両の進行方向を検出する地磁気センサ１５などからなる。
【００２４】
制御装置３０は、カーナビ１全体の動作を制御するＣＰＵ３２、ＣＰＵ３２による処理手順などを記憶しているＲＯＭ３４、ＣＰＵ３２による処理結果などを記憶するＲＡＭ３６、ハードディスク（以降、ＨＤとする）３８などを備えている。
【００２５】
ＣＰＵ３２は、ＲＯＭ３４に記憶されている案内用プログラムに従って、位置検出センサ群１０からの検出信号に基づき車両の位置を算出する位置算出処理、位置算出処理で算出された位置付近の地図データを地図データ入力装置２０を介して入力する地図データ入力処理、操作パネル２６の操作により設定された目的地までの経路を算出する経路算出処理、経路算出処理により算出された経路に基づいて運転者を目的地に案内する案内処理などの処理を行う。
【００２６】
また、ＣＰＵ３２は、ＲＯＭ３４に記憶されているテレビ受信用プログラムに従って、操作パネル２６の操作により指定された放送チャネルをテレビチューナ２４を介して受信する選局処理、選局処理において受信された放送チャネルにおける番組の映像を表示装置２２に表示させると共に番組の音声をスピーカ２８から出力させる番組再生処理、選局処理において受信された放送チャネルの放送番組を後述する処理手順に基づいて録画および再生する録画再生処理（図２）などの処理を行う。
【００２７】
［ＣＰＵ３２による録画再生処理］
以下に、制御装置３０の備えるＣＰＵ３２が実行する録画再生処理の処理手順を、図２に基づいて説明する。この録画再生処理は、操作パネル２６の操作によって、カーナビ１の動作モードが本録画再生処理を実行しない通常モードから本録画再生処理を実行するタイムシフトモードに切り替えられている状態で、放送チャネルが指定された際に開始される。そして、本録画再生処理は、操作パネル２６の操作によって、動作モードが通常モードに切り替えられるか、カーナビ１が停止（電源OFF）された際に終了する。
【００２８】
まず、ＣＰＵ３２は、車両が走行中であるかどうかをチェックする（ｓ１１０）。この処理においては、位置検出センサ群１０の速度センサ１１により車両の走行速度が検出されていれば車両が走行中であると判定され、車両の走行速度が検出されていなければ車両が停止中であると判定される。
【００２９】
このｓ１１０の処理で車両が停止中であれば（ｓ１１０：ＮＯ）、ＣＰＵ３２は、操作パネル２６の操作により指定された放送チャネルの番組を再生する（ｓ１２０）。この処理においては、指定された放送チャネルにおける番組の映像が表示装置２２に表示されると共に、番組の音声がスピーカ２８から出力される。
【００３０】
次に、ＣＰＵ３２は、操作パネル２６により放送チャネルを切り換えるための操作が行われたかどうかをチェックする（ｓ１３０）。
このｓ１３０の処理で放送チャネルを切り換えるための操作が行われたら（ｓ１３０：ＹＥＳ）、ＣＰＵ３２は、放送チャネルを切り換える（ｓ１４０）。
【００３１】
こうして、ｓ１４０の処理を終えるか、ｓ１３０の処理で放送チャネルを切り換えるための操作が行われていなければ（ｓ１３０：ＮＯ）、ｓ１１０の処理に戻る。
また、ｓ１１０の処理で車両が走行中であれば（ｓ１１０：ＹＥＳ）、ＣＰＵ３２は、操作パネル２６の操作により指定された放送チャネルの番組の再生を停止する（ｓ１５０）。この処理においては、指定された放送チャネルの番組の映像が表示装置２２に表示されなくなる。
【００３２】
次に、ＣＰＵ３２は、ｓ１５０の処理で再生が停止された番組の録画を開始する（ｓ１６０）。この処理において録画された番組は、ＨＤ３８に録画データとして記録される。
次に、ＣＰＵ３２は、車両が走行中であるかどうかをチェックする（ｓ１７０）。この処理は、ｓ１１０の処理と同様の処理である。
【００３３】
このｓ１７０の処理で車両が走行中であれば（ｓ１７０：ＹＥＳ）、ＣＰＵ３２は、操作パネル２６により放送チャネルを切り換えるための操作が行われたかどうかをチェックする（ｓ１８０）。この処理は、ｓ１３０の処理と同様の処理である。
【００３４】
このｓ１８０の処理で放送チャネルを切り換えるための操作が行われていなければ（ｓ１８０：ＮＯ）、ｓ１７０の処理に戻る。
一方、ｓ１８０の処理で放送チャネルを切り換えるための操作が行われたら（ｓ１８：ＹＥＳ）、ＣＰＵ３２は、放送チャネルを切り換える（ｓ１９０）。
【００３５】
次に、ＣＰＵ３２は、録画を終了する（ｓ２００）。この処理においては、ｓ１６０の処理で開始された番組の録画が終了されると共に、ＨＤ３８に記録されている録画データのうち、ｓ１６０の処理以降に記録された録画データが消去される。
【００３６】
こうして、ｓ２００の処理を終えた後、ｓ１６０の処理に戻る。これによって、ｓ１６０以降の処理で、ｓ１９０の処理で切り換えられた放送チャネルの番組が録画されることになる。
また、ｓ１７０の処理で車両が停止中であれば（ｓ１７０：ＮＯ）、ＣＰＵ３２は、番組の再生を開始する（ｓ２１０）。この処理においては、ＨＤ３８に記録されている録画データのうち、ｓ１６０の処理で録画が開始された以降の番組データで示される番組が、通常よりも高速（ｓ１２０による番組の再生よりも1.2倍の速度）に再生される（時間短縮再生）。なお、ここでは、録画データで示される番組の映像が表示装置２２に表示されると共に、番組の音声がスピーカ２８から出力される。
【００３７】
次に、ＣＰＵ３２は、車両が走行中であるかどうかをチェックする（ｓ２２０）。この処理は、ｓ１１０およびｓ１７０の処理と同様の処理である。
このｓ２２０の処理で車両が走行中であれば（ｓ２２０：ＹＥＳ）、ＣＰＵ３２は、ｓ２１０の処理で開始された番組の再生を一旦停止して（ｓ２３０）、ｓ１７０の処理に戻る。この後、再度、ｓ１７０からｓ２１０の処理に移った際には、このｓ２３０の処理で一旦停止した時点から番組の再生が再開される。
【００３８】
また、ｓ２２０の処理で車両が停止中であれば（ｓ２２０：ＮＯ）、ＣＰＵ３２は、再生すべき録画データが残っているかどうかをチェックする（ｓ２４０）。ｓ２１０の処理で録画済番組の再生を開始した後も、ｓ１６０の処理による番組の録画は継続されている。そのため、ｓ２１０の処理では、ｓ１６０の処理で録画された番組が順次再生されていくことになる。しかし、ｓ２１０の処理では、番組が通常よりも高速に再生されるため、ｓ１６０の処理で録画された録画データがなくなってしまい、録画データによる番組の再生が、テレビチューナ２４により受信されているリアルタイムな番組の再生に追いついてしまうことがある。そこで、このｓ２４０の処理では、ｓ２１０の処理で再生を開始した番組の録画データが残っているかどうかをチェックすることによって、録画データによる番組の再生が、テレビチューナ２４により受信されているリアルタイムな番組の再生に追いついたかどうかがチェックされる。
【００３９】
このｓ２４０の処理で、再生すべき録画データが残っていなければ（ｓ２４０：ＮＯ）、ＣＰＵ３２は、録画を終了し（ｓ２５０）、ｓ１２０の処理に戻る。こうして、ｓ１２０の処理において、テレビチューナ２４により受信されている放送チャネルの番組がリアルタイムに再生されるようになる。
【００４０】
一方、ｓ２４０の処理で、再生すべき録画データが残っていれば（ｓ２４０：ＹＥＳ）、ＣＰＵ３２は、操作パネル２６により放送チャネルを切り換えるための操作が行われたかどうかをチェックする（ｓ２６０）。この処理は、ｓ１３０、ｓ１８０の処理と同様の処理である。
【００４１】
このｓ２６０の処理で放送チャネルを切り換えるための操作が行われていなければ（ｓ２６０：ＮＯ）、ｓ２２０の処理に戻る。
一方、ｓ２６０の処理で放送チャネルを切り換えるための操作が行われたら（ｓ２６０：ＹＥＳ）、ＣＰＵ３２は、放送チャネルを切り換えて（ｓ２７０）、録画および再生を終了する（ｓ２８０）。この処理においては、ｓ１６０の処理で開始された番組の録画およびｓ２１０の処理で開始された番組の再生が終了されると共に、ＨＤ３８に記録されている録画データのうち、ｓ１６０の処理以降に記録された録画データが消去される。
【００４２】
こうして、ｓ２８０の処理を終えた後、ｓ１１０の処理に戻る。
なお、以上説明したカーナビ１において、速度センサ１１、表示装置２２、テレビチューナ２４および制御装置３０は、本発明における録画再生装置を構成するものである。これらのうち、テレビチューナ２４は本発明における受信手段、表示装置２２は本発明における第１再生手段および第２再生手段、ＨＤ３８は本発明における録画手段、速度センサ１１は本発明における検出手段、制御装置３０の備えるＣＰＵ３２は本発明における制御手段である。
【００４３】
また、制御装置３０の備えるＣＰＵ３２は、操作パネル２６および速度センサ１１からの指令に基づいて、録画再生処理（図２）を実行している。
また、本第１実施形態においては、車両が走行中であることが、本発明における『番組の視聴を妨げる動作状態』となっている。
【００４４】
［第１実施形態の効果］
このように構成されたカーナビ１によれば、図２におけるｓ１６０の処理で、車両が走行中となった以降にテレビチューナ２４により受信される放送チャネルの番組がＨＤ３８に録画（録画データとして記録）される。そのため、ＨＤ３８には、車両が走行中となった以降にテレビチューナ２４により受信された放送チャネルの番組が録画されることになる。よって、こうして録画された番組を、車両が停止中となった後に再生することで、車両が走行中に受信された放送チャネルの番組を後から視聴することができる。
【００４５】
また、ｓ１７０の処理で車両が停止中である場合、車両が走行中となった以後に録画された番組の再生がｓ２１０の処理において開始される。そのため、車両が走行中にテレビチューナ２４により受信された放送チャネルの番組を、走行中となっていた期間だけ遅らせた状態で視聴することができる。
【００４６】
［第２実施形態］
また、本発明の構成がカーナビに組み込まれた場合の別の実施形態を説明する。
カーナビ２は、第１実施形態に記載のカーナビ１と同様の構成であり、一部処理内容が異なるだけであるため、この相違点のみを詳述する。
【００４７】
［ＣＰＵ３２による録画再生処理］
以下に、制御装置３０の備えるＣＰＵ３２が実行する録画再生処理の処理手順を、図３に基づいて説明する。この録画再生処理は、操作パネル２６の操作によって、カーナビ１の動作モードが本録画再生処理を実行しない通常モードから本録画再生処理を実行するタイムシフトモードに切り替えられている状態で、放送チャネルが指定された際に開始される。そして、本録画再生処理は、操作パネル２６の操作によって、動作モードが通常モードに切り替えられるか、カーナビ１が停止（電源OFF）された際に終了する。
【００４８】
まず、ＣＰＵ３２は、操作パネル２６の操作により指定された放送チャネルの番組の録画を開始する（ｓ３１０）。この処理においては、指定された放送チャネルの番組の録画が開始される。なお、録画された番組は、ＨＤ３８に録画データとして記録される。
【００４９】
次に、ＣＰＵ３２は、車両が走行中であるかどうかをチェックする（ｓ３２０）。この処理においては、位置検出センサ群１０の速度センサ１１により車両の走行速度が検出されていれば車両が走行中であると判定され、車両の走行速度が検出されていなければ車両が停止中であると判定される。
【００５０】
このｓ３２０の処理で車両が停止中であれば（ｓ３２０：ＮＯ）、ＣＰＵ３２は、操作パネル２６の操作により指定された放送チャネルの番組を再生する（ｓ３３０）。この処理においては、指定された放送チャネルにおける番組の映像が表示装置２２に表示されると共に、番組の音声がスピーカ２８から出力される。
【００５１】
次に、ＣＰＵ３２は、操作パネル２６により放送チャネルを切り換えるための操作が行われたかどうかをチェックする（ｓ３４０）。
このｓ３４０の処理で放送チャネルを切り替えるための操作が行われていなければ（ｓ３４０：ＮＯ）、ｓ３２０の処理に戻る。
【００５２】
一方、ｓ３４０の処理で放送チャネルを切り換えるための操作が行われたら（ｓ３４０：ＹＥＳ）、ＣＰＵ３２は、放送チャネルを切り換える（ｓ３５０）。
次に、ＣＰＵ３２は、録画を終了する（ｓ３６０）。この処理においては、ｓ３１０の処理で開始された番組の録画が終了されると共に、ＨＤ３８に記録されている録画データのうち、ｓ３１０の処理以降に記録された録画データが消去される。
【００５３】
こうして、ｓ３６０の処理を終えた後、ｓ３１０の処理に戻る。これによって、ｓ３１０以降の処理で、ｓ３５０の処理で切り換えられた放送チャネルの番組の録画が行われることになる。
また、ｓ３２０の処理で車両が走行中であれば（ｓ３２０：ＹＥＳ）、ＣＰＵ３２は、操作パネル２６の操作により指定された放送チャネルの番組の再生を停止する（ｓ３７０）。この処理においては、指定された放送チャネルの番組の映像が表示装置２２に表示されなくなる。
【００５４】
次に、ＣＰＵ３２は、頭出しデータを記録する（ｓ３８０）。頭出しデータは、録画データで示される番組における時間軸上の位置（タイミング）を特定するためのデータであって、以降の処理で番組を頭出し再生する際に利用されるものである。この処理においては、ｓ３２０の処理で車両が走行中となった、つまり、車両が走行を開始したタイミングを特定するための頭出しデータがＨＤ３８に記録される。
【００５５】
次に、ＣＰＵ３２は、車両が走行中であるかどうかをチェックする（ｓ３９０）。この処理は、ｓ３２０の処理と同様の処理である。
このｓ３９０の処理で車両が走行中であれば（ｓ３９０：ＹＥＳ）、ＣＰＵ３２は、操作パネル２６により放送チャネルを切り換えるための操作が行われたかどうかをチェックする（ｓ４００）。この処理は、ｓ３４０の処理と同様の処理である。
【００５６】
このｓ３４０の処理で放送チャネルを切り換えるための操作が行われていなければ（ｓ４００：ＮＯ）、ｓ３９０の処理に戻る。
一方、ｓ４００の処理で放送チャネルを切り換えるための操作が行われたら（ｓ４００：ＹＥＳ）、ＣＰＵ３２は、放送チャネルを切り換える（ｓ４１０）。
【００５７】
次に、ＣＰＵ３２は、録画を終了する（ｓ４２０）。この処理においては、ｓ３６０の処理と同様に、番組の録画が終了されると共に録画データが消去される。
こうして、ｓ４２０の処理を終えた後、ｓ３１０の処理に戻る。これによって、ｓ３１０以降の処理で、ｓ４１０の処理で切り換えられた放送チャネルの番組の録画が行われることになる。
【００５８】
また、ｓ３９０の処理で車両が停止中であれば（ｓ３９０：ＮＯ）、ＣＰＵ３２は、番組の再生を開始する（ｓ４３０）。この処理においては、ＨＤ３８に記録されている録画データで示される番組が、ＨＤ３８に記録されている頭出しデータで示される時点から頭出し再生される。このとき、録画データで示される番組は、通常よりも高速（ｓ３３０による番組の再生よりも1.2倍）に再生される（時間短縮再生）。なお、ここでは、録画データで示される番組の映像が表示装置２２に表示されると共に、番組の音声がスピーカ２８から出力される。
【００５９】
次に、ＣＰＵ３２は、車両が走行中であるかどうかをチェックする（ｓ４４０）。この処理は、ｓ３２０およびｓ３９０の処理と同様の処理である。
このｓ４４０の処理で車両が走行中であれば（ｓ４４０：ＹＥＳ）、ＣＰＵ３２は、ｓ４３０の処理で開始された番組の再生を終了して（ｓ４５０）、頭出しデータを記録し直した後（ｓ４６０）、ｓ３９０の処理に戻る。このｓ４６０の処理においては、ｓ４４０の処理で車両が走行中となった、つまり、車両が走行を開始したタイミングを特定するための頭出しデータがＨＤ３８に記録される。
【００６０】
また、ｓ４４０の処理で車両が停止中であれば（ｓ４４０：ＮＯ）、ＣＰＵ３２は、再生すべき録画データが残っているかどうかをチェックする（ｓ４７０）。ｓ４３０の処理で録画済番組の再生を開始した後も、ｓ３１０の処理による番組の録画は継続されている。そのため、ｓ４３０の処理では、ｓ３１０の処理で録画された番組が順次再生されていくことになる。しかし、ｓ４３０の処理では、番組が通常よりも高速に再生されるため、ｓ３１０の処理で録画された録画データがなくなってしまい、録画データによる番組の再生が、テレビチューナ２４により受信されているリアルタイムな番組の再生に追いついてしまうことがある。そこで、このｓ４７０の処理では、ｓ４３０の処理で再生を開始した番組の録画データが残っているかどうかをチェックすることによって、録画データによる番組の再生が、テレビチューナ２４により受信されているリアルタイムな番組の再生に追いついたかどうかがチェックされる。
【００６１】
このｓ４７０の処理で、再生すべき録画データが残っていなければ（ｓ４７０：ＮＯ）、ＣＰＵ３２は、録画を終了し（ｓ４８０）、ｓ３３０の処理に戻る。
一方、ｓ４７０の処理で、再生すべき録画データが残っていれば（ｓ４７０：ＹＥＳ）、ＣＰＵ３２は、操作パネル２６により放送チャネルを切り換えるための操作が行われたかどうかをチェックする（ｓ４９０）。この処理は、ｓ３４０、ｓ４００の処理と同様の処理である。
【００６２】
このｓ４９０の処理で放送チャネルを切り換えるための操作が行われていなければ（ｓ４９０：ＮＯ）、ｓ４４０の処理に戻る。
一方、ｓ４９０の処理で放送チャネルを切り換えるための操作が行われたら（ｓ４９０：ＹＥＳ）、ＣＰＵ３２は、放送チャネルを切り換えて（ｓ５００）、録画および再生を終了する（ｓ５１０）。この処理においては、ｓ３１０の処理で開始された番組の録画およびｓ４３０の処理で開始された番組の再生が終了されると共に、ＨＤ３８内に記録された録画データのうちｓ３１０の処理以降に記録された録画データが消去される。
【００６３】
こうして、ｓ５１０の処理を終えた後、ｓ３１０の処理に戻る。
なお、以上説明したカーナビ１において、制御装置３０の備えるＣＰＵ３２は、操作パネル２６および速度センサ１１からの指令に基づいて、録画再生処理（図３）を実行している。
【００６４】
また、本第２実施形態においては、車両が走行中であることが、本発明における『番組の視聴を妨げる動作状態』となっている。
［第２実施形態の効果］
このように構成されたカーナビ２によれば、走行中の車両が停止した際に、車両が走行中となった以後に録画された番組の再生が図３におけるｓ４３０の処理において開始される。そのため、車両が走行中にテレビチューナ２４により受信された放送チャネルの番組を、走行中となっていた期間だけ遅らせた状態で視聴することができる。
【００６５】
［第３実施形態］
次に、本発明の構成が携帯情報端末に組み込まれた場合の実施形態を説明する。
携帯情報端末３は、図４に示すように、携帯情報端末３全体の動作を制御するＣＰＵ５０、ＣＰＵ５０による処理手順などを記憶しているＲＯＭ５１、ＣＰＵ５０による処理結果などを記憶するＲＡＭ５２、ディスプレイ５３、通信装置５４、キーボード５５、スピーカ５６、マイク５７、テレビチューナ５８、ハードディスク（以降、ＨＤとする）５９などで構成される。
【００６６】
ＣＰＵ５０は、ＨＤ５９に記憶されているテレビ受信用アプリケーションソフトによる処理手順に従って、キーボード５５の操作により指定された放送チャネルをテレビチューナ５８を介して受信する選局処理、選局処理において受信された放送チャネルにおける番組の映像をディスプレイ５３に表示させると共に番組の音声をスピーカ５６から出力させる番組再生処理、選局処理において受信された放送チャネルの放送番組を後述する処理手順に基づいて録画および再生する録画再生処理（図２）などの処理を行う。
【００６７】
また、ＣＰＵ５０は、ＨＤ５９に記憶されている通話用アプリケーションソフトにより通話機能を実現可能に構成されている。ＣＰＵ５０は、この通話用アプリケーションソフトによる処理手順に従って、キーボード５５の操作により着信先端末を指定する指定処理、指定処理で指定された着信先端末を呼び出す発信処理、発信元端末からの着信を受け付ける着信処理、携帯情報端末３と着信先端末または発信元端末とを通話可能に接続する通話処理などの処理を行う。
【００６８】
［ＣＰＵ５０による録画再生処理］
以下に、ＣＰＵ５０が実行する録画再生処理の処理手順を説明する。この録画再生処理は、第１実施形態の録画再生処理（図２）と処理内容が一部異なっているだけであるため、この相違点を図２に基づいて詳述する。この録画再生処理は、キーボード５５の操作によって、携帯情報端末３の動作モードが本録画再生処理を実行しない通常モードから本録画再生処理を実行するタイムシフトモードに切り替えられている状態で、放送チャネルが指定された際に開始される。そして、この録画再生処理は、キーボード５５の操作によって、携帯情報端末３の動作モードが通常モードに切り替えられるか、携帯情報端末３が停止（電源OFF）された際に終了する。なお、本録画再生処理においては、図２における「走行中」との記載を「通話中」と読み替えるものとする。
【００６９】
まず、ＣＰＵ５０は、通話中であるかどうかをチェックする（ｓ１１０）。この処理においては、通話用アプリケーションソフトによるいずれかの処理が行われていれば通話機能が利用されている、つまり、通話中であると判定され、いずれの処理も行われていなければ通話機能が利用されていない、つまり、通話中でないと判定される。
【００７０】
このｓ１１０の処理で通話中でなければ（ｓ１１０：ＮＯ）、ＣＰＵ５０は、キーボード５５の操作により指定された放送チャネルの番組を再生する（ｓ１２０）。
次に、ＣＰＵ５０は、キーボード５５により放送チャネルを切り換えるための操作が行われたかどうかをチェックする（ｓ１３０）。
【００７１】
このｓ１３０の処理で放送チャネルを切り換えるための操作が行われたら（ｓ１３０：ＹＥＳ）、ＣＰＵ５０は、放送チャネルを切り換える（ｓ１４０）。
こうして、ｓ１４０の処理を終えるか、ｓ１３０の処理で放送チャネルを切り換えるための操作が行われていなければ（ｓ１３０：ＮＯ）、ｓ１１０の処理に戻る。
【００７２】
また、ｓ１１０の処理で通話中であれば（ｓ１１０：ＹＥＳ）、ＣＰＵ５０は、キーボード５５の操作により指定された放送チャネルの番組の再生を停止する（ｓ１５０）。
次に、ＣＰＵ５０は、ｓ１５０の処理で再生を停止された番組の録画を開始する（ｓ１６０）。この処理において、録画された番組は、ＨＤ５９に録画データとして記録される。
【００７３】
次に、ＣＰＵ５０は、通話中であるかどうかをチェックする（ｓ１７０）。
このｓ１７０の処理で通話中であれば（ｓ１７０：ＹＥＳ）、ＣＰＵ５０は、キーボード５５により放送チャネルを切り換えるための操作が行われたかどうかをチェックする（ｓ１８０）。
【００７４】
このｓ１８０の処理で放送チャネルを切り換えるための操作が行われていなければ（ｓ１８０：ＮＯ）、ｓ１７０の処理に戻る。
一方、ｓ１８０の処理で放送チャネルを切り換えるための操作が行われたら（ｓ１８０：ＹＥＳ）、ＣＰＵ５０は、放送チャネルを切り換える（ｓ１９０）。
【００７５】
次に、ＣＰＵ５０は、録画を終了する（ｓ２００）。この処理においては、ｓ１６０の処理で開始された番組の録画が終了されると共に、ＨＤ５９に記録されている録画データのうち、ｓ１６０の処理以降に記録された録画データが消去される。
【００７６】
こうして、ｓ２００の処理を終えた後、ｓ１６０の処理に戻る。
また、ｓ１７０の処理で通話中でなければ（ｓ１７０：ＮＯ）、ＣＰＵ５０は、番組の再生を開始する（ｓ２１０）。この処理においては、ＨＤ５９に記録されている録画データのうち、ｓ１６０の処理で録画が開始された以降の番組データで示される番組が、通常よりも高速（ｓ１２０による番組の再生よりも1.2倍の速度）に再生される（時間短縮再生）。なお、ここでは、録画データで示される番組の映像がディスプレイ５３に表示されると共に、番組の音声がスピーカ５６から出力される。
【００７７】
次に、ＣＰＵ５０は、通話中であるかどうかをチェックする（ｓ２２０）。
このｓ２２０の処理で通話中であれば（ｓ２２０：ＹＥＳ）、ＣＰＵ５０は、ｓ２１０の処理で開始された番組の再生を一旦停止して（ｓ２３０）、ｓ１７０の処理に戻る。
【００７８】
また、ｓ２２０の処理で通話中でなければ（ｓ２２０：ＮＯ）、ＣＰＵ３２は、再生すべき録画データが残っているかどうかをチェックする（ｓ２４０）。
このｓ２４０の処理で、再生すべき録画データが残っていなければ（ｓ２４０：ＮＯ）、ＣＰＵ３２は、録画を終了し（ｓ２５０）、ｓ１２０の処理に戻る。
【００７９】
一方、ｓ２４０の処理で、再生すべき録画データが残っていれば（ｓ２４０：ＹＥＳ）、ＣＰＵ３２は、操作パネル２６により放送チャネルを切り換えるための操作が行われたかどうかをチェックする（ｓ２６０）。
このｓ２６０の処理で放送チャネルを切り換えるための操作が行われていなければ（ｓ２６０：ＮＯ）、ｓ２２０の処理に戻る。
【００８０】
一方、ｓ２６０の処理で放送チャネルを切り換えるための操作が行われたら（ｓ２６０：ＹＥＳ）、ＣＰＵ３２は、放送チャネルを切り換えて（ｓ２７０）、録画および再生を終了する（ｓ２８０）。この処理においては、ｓ１６０の処理で開始された番組の録画およびｓ２１０の処理で開始された番組の再生が終了されると共に、ＨＤ５９に記録されている録画データのうち、ｓ１６０の処理以降に記録された録画データが消去される。
【００８１】
こうして、ｓ２８０の処理を終えた後、ｓ１１０の処理に戻る。
なお、以上説明した携帯情報端末３において、ＣＰＵ５０、ディスプレイ５３、テレビチューナ５８およびＨＤ５９は、本発明における録画再生装置を構成するものである。これらのうち、テレビチューナ５８は本発明における受信手段、ディスプレイ５３本発明における第１再生手段および第２再生手段、ＨＤ５９は本発明における録画手段、図２におけるｓ３２０、ｓ３９０、ｓ４４０の処理は本発明における検出手段、ＣＰＵ５０は本発明における制御手段である。
【００８２】
また、ＣＰＵ５０は、キーボード５５からの指令に基づいて、録画再生処理（図２）を実行している。
また、本第１実施形態においては、車両が走行中であることが、本発明における『番組の視聴を妨げる動作状態』となっている。
【００８３】
［第３実施形態の効果］
このように構成された携帯情報端末３によれば、図２におけるｓ１６０の処理で、通話中となった以降にテレビチューナ５８により受信される放送チャネルの番組がＨＤ５９に録画（録画データとして記録）される。そのため、ＨＤ５９には、通話中となった以降にテレビチューナ５８により受信された放送チャネルの番組が録画されることになる。よって、こうして録画された番組を、通話が終了した後に再生することにより、通話中に受信された放送チャネルの番組を後から視聴することができる。
【００８４】
また、ｓ１７０の処理で通話中でない場合、通話中となった以後に録画された番組の再生がｓ２１０の処理において開始される。そのため、通話中にテレビチューナ２４により受信された放送チャネルの番組を、通話中となっていた期間だけ遅らせた状態で視聴することができる。
【００８５】
［第４実施形態］
また、本発明の構成が携帯情報端末に組み込まれた場合の別の実施形態を説明する。
携帯情報端末４は、第３実施形態に記載の携帯情報端末３と同様の構成であり、一部処理内容が異なるだけであるため、この相違点のみを詳述する。
【００８６】
［ＣＰＵ５０による録画再生処理］
以下に、ＣＰＵ５０が実行する録画再生処理の処理手順を説明する。この録画再生処理は、第３実施形態の録画再生処理（図３）における処理内容が一部異なっているだけであるため、この相違点を図３に基づいて詳述する。また、この録画再生処理は、キーボード５５の操作によって、携帯情報端末４の動作モードが本録画再生処理を実行しない通常モードから本録画再生処理を実行するタイムシフトモードに切り替えられている状態で、放送チャネルが指定された際に開始される。なお、本録画再生処理においては、図３における「走行中」との記載を「通話中」と読み替えるものとする。
【００８７】
まず、ＣＰＵ５０は、キーボード５５の操作により指定された放送チャネルの番組の録画を開始する（ｓ３１０）。この処理においては、指定された放送チャネルの番組の録画が開始される。なお、録画された番組は、ＨＤ５９に録画データとして記録される。
【００８８】
次に、ＣＰＵ５０は、通話中であるかどうかをチェックする（ｓ３２０）。この処理においては、通話用アプリケーションソフトによるいずれかの処理が行われていれば通話中であると判定され、いずれの処理も行われていなければ通話中でないと判定される。
【００８９】
このｓ３２０の処理で通話中でなければ（ｓ３２０：ＮＯ）、ＣＰＵ５０は、キーボード５５の操作により指定された放送チャネルの番組を再生する（ｓ３３０）。この処理においては、指定された放送チャネルにおける番組の映像がディスプレイ５３に表示されると共に、番組の音声がスピーカ５６から出力される。
【００９０】
次に、ＣＰＵ５０は、キーボード５５により放送チャネルを切り換えるための操作が行われたかどうかをチェックする（ｓ３４０）。
このｓ３４０の処理で放送チャネルを切り替えるための操作が行われていなければ（ｓ３４０：ＮＯ）、ｓ３２０の処理に戻る。
【００９１】
一方、ｓ３４０の処理で放送チャネルを切り換えるための操作が行われたら（ｓ３４０：ＹＥＳ）、ＣＰＵ５０は、放送チャネルを切り換える（ｓ３５０）。
次に、ＣＰＵ５０は、録画を終了する（ｓ３６０）。この処理においては、ｓ３１０の処理で開始された番組の録画が終了されると共に、ＨＤ５９に記録されている録画データのうち、ｓ３１０の処理以降に記録された録画データが消去される。
【００９２】
こうして、ｓ３６０の処理を終えた後、ｓ３１０の処理に戻る。
また、ｓ３２０の処理で車両が走行中であれば（ｓ３２０：ＹＥＳ）、ＣＰＵ５０は、キーボード５５の操作により指定された放送チャネルの番組の再生を停止した後（ｓ３７０）、頭出しデータを記録する（ｓ３８０）。この処理においては、ｓ３２０の処理で通話中となったタイミングを特定するための頭出しデータがＨＤ５９に記録される。
【００９３】
次に、ＣＰＵ５０は、通話中であるかどうかをチェックする（ｓ３９０）。
このｓ３９０の処理で通話中であれば（ｓ３９０：ＹＥＳ）、ＣＰＵ５０は、キーボード５５により放送チャネルを切り換えるための操作が行われたかどうかをチェックする（ｓ４００）。
【００９４】
このｓ３４０の処理で放送チャネルを切り換えるための操作が行われていなければ（ｓ４００：ＮＯ）、ｓ３９０の処理に戻る。
一方、ｓ４００の処理で放送チャネルを切り換えるための操作が行われたら（ｓ４００：ＹＥＳ）、ＣＰＵ５０は、放送チャネルを切り換える（ｓ４１０）。
【００９５】
次に、ＣＰＵ５０は、録画を終了する（ｓ４２０）。
こうして、ｓ４２０の処理を終えた後、ｓ３１０の処理に戻る。
また、ｓ３９０の処理で通話中でなければ（ｓ３９０：ＮＯ）、ＣＰＵ５０は、番組の再生を開始する（ｓ４３０）。この処理においては、ＨＤ５９に記録されている録画データで示される番組が、ＨＤ５９に記録されている頭出しデータで示される時点から頭出し再生される。このとき、録画データで示される番組は、通常よりも高速（ｓ３３０による番組の再生よりも1.2倍）に再生される（時間短縮再生）。
【００９６】
次に、ＣＰＵ５０は、通話中であるかどうかをチェックする（ｓ４４０）。
このｓ４４０の処理で通話中であれば（ｓ４４０：ＹＥＳ）、ＣＰＵ５０は、ｓ４３０の処理で開始された番組の再生を終了して（ｓ４５０）、頭出しデータを記録し直した後（ｓ４６０）、ｓ３９０の処理に戻る。このｓ４６０の処理においては、ｓ４４０の処理で通話中となったタイミングを特定するための頭出しデータがＨＤ５９に記録される。
【００９７】
また、ｓ４４０の処理で通話中でなければ（ｓ４４０：ＮＯ）、ＣＰＵ５０は、再生すべき録画データが残っているかどうかをチェックする（ｓ４７０）。
このｓ４７０の処理で、再生すべき録画データが残っていなければ（ｓ４７０：ＮＯ）、ＣＰＵ５０は、録画を終了し（ｓ４８０）、ｓ３３０の処理に戻る。
【００９８】
一方、ｓ４７０の処理で、再生すべき録画データが残っていれば（ｓ４７０：ＹＥＳ）、ＣＰＵ５０は、キーボード５５により放送チャネルを切り換えるための操作が行われたかどうかをチェックする（ｓ４９０）。
このｓ４９０の処理で放送チャネルを切り換えるための操作が行われていなければ（ｓ４９０：ＮＯ）、ｓ４４０の処理に戻る。
【００９９】
一方、ｓ４９０の処理で放送チャネルを切り換えるための操作が行われたら（ｓ４９０：ＹＥＳ）、ＣＰＵ５０は、放送チャネルを切り換えて（ｓ５００）、録画および再生を終了する（ｓ５１０）。この処理においては、ｓ３１０の処理で開始された番組の録画およびｓ４３０の処理で開始された番組の再生が終了されると共に、ＨＤ５９内に記録された録画データが消去される。
【０１００】
こうして、ｓ５１０の処理を終えた後、ｓ３１０の処理に戻る。
なお、以上説明した携帯情報端末３において、ＣＰＵ５０は、キーボード５５からの指令に基づいて、録画再生処理（図３）を実行している。
また、本第４実施形態においては、通話であることが、本発明における『番組の視聴を妨げる動作状態』となっている。
【０１０１】
［第４実施形態の効果］
このように構成された携帯情報端末４によれば、通話が終了した際に、通話中となった以後に録画された番組の再生が図３におけるｓ４３０の処理において開始される。そのため、通話中にテレビチューナ５８により受信された放送チャネルの番組を、通話中となっていた期間だけ遅らせた状態で視聴することができる。
【０１０２】
［変形例］
以上、本発明の実施形態について説明したが、本発明は上記の具体的な実施形態に限定されず、このほかにも様々な形態で実施することができる。
上述の第１、第２実施形態においては、車両が走行中であることが、本発明における『番組の視聴を妨げる動作状態』となっているものを例示した。しかし、『番組の視聴を妨げる動作状態』は、車両が走行中であること以外の動作状態であってもよい。例えば、案内用プログラムに従って、経路算出処理、案内処理などの処理が行われている状態を『番組の視聴を妨げる動作状態』としてもよい。
【０１０３】
また、上述の第３、第４実施形態においては、通話中であることが、本発明における『番組の視聴を妨げる動作状態』となっているものを例示した。しかし、『番組の視聴を妨げる動作状態』は、通話中であること以外の動作状態であってもよい。例えば、ＨＤ５９に組み込まれている他のアプリケーションソフトが起動した状態を『番組の視聴を妨げる動作状態』としてもよい。また、携帯情報端末３、４に、ディスプレイ５３を覆い隠すことができるカバーが備えられている場合、このカバーによりディスプレイ５３を覆い隠した形態をセンサなどにより検出した状態を『番組の視聴を妨げる動作状態』としてもよい。
【０１０４】
また、本実施形態においては、本発明の録画再生装置が、携帯情報端末に組み込まれているものを例示した。ここで、上述した携帯情報端末の一種である携帯電話機に、本発明の録画再生装置を組み込むことも考えられる。この場合には、上述の携帯情報端末３、４と同様に、通話中であることが本発明における『番組の視聴を妨げる動作状態』となるようにし、録画データは、携帯電話機内蔵のメモリや外付けの記憶媒体（例えば、メモリーカード）などに記録されるように構成すればよい。また、携帯電話機が、ディスプレイを覆い隠すように折り畳める構造となっている場合には、折り畳んだ形態をセンサなどにより検出した状態を『番組の視聴を妨げる動作状態』としてもよい。
【図面の簡単な説明】
【図１】カーナビゲーションシステムの制御系統を示すブロック図
【図２】第１、第３実施形態における録画再生処理の処理手順を示すフローチャート
【図３】第２、第４実施形態における録画再生処理の処理手順を示すフローチャート
【図４】携帯情報端末の制御系統を示すブロック図
【符号の説明】
１、２・・・カーナビ、１０・・・位置検出センサ群、１１・・・速度センサ、１２・・・GPS受信機、１３・・・ジャイロスコープ、１４・・・距離センサ、１５・・・地磁気センサ、２０・・・地図データ入力装置、２２・・・表示装置、２４・・・テレビチューナ、２６・・・操作パネル、２８・・・スピーカ、３０・・・制御装置、３２・・・ＣＰＵ、３４・・・ＲＯＭ、３６・・・ＲＡＭ、３８・・・ハードディスク、３、４・・・携帯情報端末、５０・・・ＣＰＵ、５１・・・ＲＯＭ、５２・・・ＲＡＭ、５３・・・ディスプレイ、５４・・・通信装置、５５・・・キーボード、５６・・・スピーカ、５７・・・マイク。５８・・・テレビチューナ、５９・・・ハードディスク。
【図１】
0004282950.tif 000002
【図２】
0004282950.tif 000003
【図３】
0004282950.tif 000004
【図４】
0004282950.tif 000005